(57)【特許請求の範囲】
【請求項１】
ディスクトレイがディスクトレイ収納ベース上を前後に摺動する情報ディスクの記録／再生用のディスク駆動装置において、
前記ディスクトレイの両サイド下面に垂直断面が逆凹状をなすガイド受けが形成され、
前記ディスクトレイ収納ベースに前記ガイド受けの逆凹状部内に配置される垂直断面凸状のガイド手段が形成され、
前記ディスクトレイ収納ベースの前記ガイド手段よりも中央側に、前記ガイド受けの一方の突出片を該ガイド手段と挟む位置に立設して前記ガイド受けの左右方向の動きを規制するガイド外れ防止手段と、
前記ディスクトレイ収納ベース両側面から先端が前記ガイド手段よりも中央側までひさし状に迫り出して、前記ディスクトレイの当該装置本体からの上下方向の離脱を防ぐ離脱防止手段が形成されてなることを特徴とするディスク駆動装置。
【請求項２】
前記ガイド手段および／または前記ガイド外れ防止手段は、ボスまたはレールであることを特徴とする請求項１に記載のディスク駆動装置。
【請求項３】
前記ガイド外れ防止手段の高さは、前記ガイド手段よりも高いことを特徴とする請求項１または２に記載のディスク駆動装置。
【請求項４】
前記ガイド外れ防止手段および／または前記離脱防止手段の取り付け部が裾広に形成されていることを特徴とする請求項１乃至３のいずれか１つに記載のディスク駆動装置。
【発明の詳細な説明】
【０００１】
【発明の属する技術分野】
本発明はディスクトレイが引き出されている状態において、ディスクトレイに予測外の力が加えられた場合であってもディスクトレイが装置本体から離脱することがないディスク駆動装置に関する。
【０００２】
【従来の技術】
ＣＤ−ＲＯＭ，ＣＤ−Ｒ，ＣＤ−ＲＷなどのディスク駆動装置、すなわち再生および／または記録を行う記録／再生装置は、ディスクトレイがオペレータの手前側に引き出されるように構成されている。
【０００３】
図３は従来のディスク駆動装置５の斜視図であり、装置本体５１と、ディスクトレイ５２とからなる。図３では、装置本体５１としてディスクトレイ収納ベース５１１を示す。
【０００４】
ディスクトレイ５２はディスクトレイ収納ベース５１１上を前後方向に摺動する。装置本体５１内には、図示はしないがディスクトレイ５２を摺動させるためのロードモータ、ディスクを回転させるためのモータ等の各種部品や機構が備えられている。
【０００５】
図３においてディスクトレイ１２は中央部にディスク搭載用の円形窪み部５２１を有する板状をなしている。ディスクトレイ５２の両サイド下面に垂直断面が逆凹状をなすガイド受け６１が形成されている。このガイド受け６１は、ディスクトレイ５２の前後方向に連続形成されている突出片６１１，６１２からなり、突出片６１１と６１２との間に溝Ｇが形成される。
【０００６】
また、図４（Ａ）は図３におけるディスク駆動装置５の矢視Ａ−Ａ断面を示す図、図４（Ｂ）は、ディスクトレイ５２の装置本体５１への取り付け構造を拡大して示す図４（Ａ）の部分図である。
【０００７】
図３、図４（Ａ），（Ｂ）に示すディスク駆動装置では、トレイが引き出された状態で、トレイに外力が加えられた場合、当該外力が通常想定できる程度の大きさであるときは、トレイが本体装置から外れてしまうことはないし、したがって装置の故障も生じない。
【０００８】
【発明が解決しようとする課題】
しかし、ディスクトレイ５２は、図５に示されるように、ディスクの交換に際して突出して前方に出されるため、ユーザの不注意等により、大きな力がディスクトレイ５２に加えられると、当該ディスクトレイは装置本体５１から離脱してしまうことがある。
【０００９】
特に、今日、ＰＣの設置環境はスペースの問題等で床置き等も行われるようになり、不注意により人が膝等をディスクトレイ強くぶつける場合もあり、ディスクトレイが装置本体５１から離脱してしまう場合が生じ易くなる。ディスクトレイ５２が装置本体５１から離脱してしまった場合において、メーカの修理を依頼するときは、ＣＤ等を数日間利用できない。最近では、フロッピーディスクドライブよりもＣＤ−ＲＯＭドライブ等のコンパクトディスク媒体でのデータのやりとりが一般的となっているため、ＣＤ等のディスク駆動装置が使用できない場合には、ディスクドライブを新たな購入を余儀なくされることもある。
【００１０】
本発明の目的は、ディスクトレイが引き出されている状態において、ディスクトレイに不測の力が加えられた場合であってもディスクトレイが装置本体から離脱することがないディスク駆動装置を提供することにある。
【００１１】
【課題を解決するための手段】
本発明は、ディスクトレイがディスクトレイ収納ベース上を前後に摺動する情報ディスクの記録／再生用のディスク駆動装置において、前記ディスクトレイの両サイド下面に垂直断面が逆凹状をなすガイド受けが形成され、前記ディスクトレイ収納ベースに前記ガイド受けの逆凹状部内に配置される垂直断面凸状のガイド手段が形成され、前記ディスクトレイ収納ベースの前記ガイド手段よりも中央側に、前記ガイド受けの一方の突出片を該ガイド手段と挟む位置に立設して前記ガイド受けの左右方向の動きを規制するガイド外れ防止手段と、前記ディスクトレイ収納ベース両側面から先端が前記ガイド手段よりも中央側までひさし状に迫り出して、前記ディスクトレイの当該装置本体からの上下方向の離脱を防ぐ離脱防止手段が形成されてなるものである。
【００１２】
また、前記ガイド手段および／または前記ガイド外れ防止手段は、ボスまたはレールである。
【００１３】
また、前記ガイド外れ防止手段の高さは、前記ガイド手段よりも高くされたものである。
【００１４】
また、前記ガイド外れ防止手段および／または前記離脱防止手段の取り付け部が裾広に形成されているものである。
【００１６】
【発明の実施の形態】
以下、本発明の一実施形態を図面を参照しつつ説明する。図１はディスク駆動装置１の正面断面図であり、図２（Ａ）はディスクトレイ１２の装置本体１１への取り付け構造を拡大して示す図１の部分図である。
【００１７】
図１，図２（Ａ）においてディスク駆動装置１は、装置本体１１とディスクトレイ１２とからなる。装置本体１１は、ディスクトレイ収納ベース１１１を有しており、ディスクトレイ１２はディスクトレイ収納ベース１１１上を前後方向に摺動する。装置本体１１内にはディスクトレイ１２を摺動させるためのロードモータ、ディスクを回転させるためのモータ等の各種部品や機構が備えられているが、本発明の理解に不要な構成要素の説明は省略する。
【００１８】
図１において、ディスクトレイ１２の両サイド下面に垂直断面が逆凹状をなすガイド受け２１が形成されている。このガイド受け２１は、ディスクトレイ１２の前後方向に連続形成されている突出片２１１，２１２からなり、突出片２１１と２１２との間に溝Ｇが形成される。
【００１９】
図１において装置本体１１は、ディスクトレイ収納ベース１１１を備えている。このディスクトレイ収納ベース１１１には、ガイド手段２２およびガイド外れ防止手段２２２が設けられている。
【００２０】
ガイド手段２２は、突出片２１１と２１２との間に溝Ｇに位置する立設爪であり、ガイド外れ防止手段２２２は、ガイド手段２２との間に突出片２１２を挟んで位置する立設爪である。
【００２１】
装置本体１１のディスクトレイ収納ベース１１１の側面には、ディスクトレイ１２が装置本体１１から離脱しないようにするための離脱防止手段２３が設けられている。この離脱防止手段２３は、ディスクトレイ１２の側部からひさし状に迫り出して構成されており、その先端は、図２（Ａ）に示すように離脱防止手段２３よりも中央側に延びている。
【００２２】
図２（Ｂ）は、ディスク駆動装置の他の態様を示す説明図である。図２（Ｂ）では、ガイド外れ防止手段２２２および離脱防止手段２３は裾広に形成されている。なお、補強ガイドの応力集中部分に対してＣ面若しくはＲ形状を施すことで更なる強度ＵＰをはかることができる。部品点数増加を防ぐことができるためコストを維持できる。
【００２３】
【発明の効果】
以上説明したように、本発明によれば、トレイが排出された状態で、少なくともローディングベースのガイド手段（レールやボス）とトレイのガイド溝が勘合している範囲全体若しくは最前部と勘合最後部の範囲において、ディスクトレイ収納ベース（ローディングベース）のガイド手段の内側に、ガイド溝の内側を保持するガイド外れ防止手段を設けている。これにより、トレイ排出状態での横方向に対する強度が増し、トレイ横方向からの強い衝撃に対して破壊を防ぐことができる。
【図面の簡単な説明】
【図１】本発明の一実施形態を示すディスク駆動装置の説明図である。
【図２】（Ａ）はディスクトレイの装置本体への取り付け構造を拡大して示す部分図、（Ｂ）はディスクトレイの装置本体への他の取り付け構造を拡大して示す部分図である。
【図３】従来のディスク駆動装置の斜視図である。
【図４】図３におけるドライブ装置の矢視Ａ−Ａ断面を示す図、（Ｂ）は、ディスクトレイの装置本体への取り付け構造を拡大して示す部分図である。
【図５】ディスク駆動装置からディスクトレイが引き出された状態を示す説明図である。
【符号の説明】
１    ディスク駆動装置
１１  装置本体
１２  ディスクトレイ
２１  ガイド受け
２２  ガイド手段
２３  ガイド外れ防止手段
１１１  ディスクトレイ収納ベース
２１１，２１２  突出片
Ｇ  溝
【図１】
0004087132.tif 000002
【図３】
0004087132.tif 000003
【図４】
0004087132.tif 000004
【図５】
0004087132.tif 000005
【図２】
0004087132.tif 000006